(57)【要約】【課題】集塵フィルターヘの臭いの付着を軽減して集塵フィルターを本来の寿命にまで使用できるようにすると共に、脱臭フィルターの耐久性を向上させて、フィルター全体を長寿命化させた空気清浄機を提供すること。【解決手段】吸気口２と吹出し口７を有する本体内の風路４の上流側から下流側に、集塵プレフィルター８、洗浄再生可能な第２の脱臭フィルター９、集塵フィルター１０及び第１の脱臭フィルター１１を配設し、集塵フィルター１０を第２、第１の脱臭フィルター９，１１で挟む構成とし、第１の脱臭フィルター１１の下流側に送風ファン１３を設けた。【選択図】　　　　図１
2004066111.tif 000002
【特許請求の範囲】
【請求項１】
吸気口と吹出し口を有する本体内の風路の上流側から下流側に、集塵プレフィルター、洗浄再生可能な第２の脱臭フィルター、集塵フィルター及び第１の脱臭フィルターを配設し、前記集塵フィルターを第２、第１の脱臭フィルターで挟む構成とし、該第１の脱臭フィルターの下流側に送風ファンを設けたことを特徴とする空気清浄機。
【請求項２】
集塵プレフィルターと第２の脱臭フィルターを一体化して洗浄再生可能な一体化フィルターを構成したことを特徴とする請求項１記載の空気清浄機。
【請求項３】
集塵プレフィルターと第２の脱臭フィルターを一体化して洗浄再生可能な一体化フィルターを構成すると共に、該一体化フィルターに抗菌能力を付加したことを特徴とする請求項２記載の空気清浄機。
【発明の詳細な説明】
【０００１】
【発明の属する技術分野】
本発明は、フィルターの寿命を長くすることができる空気清浄機に関するものである。
【０００２】
【従来の技術】
図４は従来の空気清浄機の一例を示す縦断面図である。この空気清浄機は、前面に吸気口２を有する吸気パネル１、内部に風路４を有する前ケース３、及び上面に吹出し口７を有する後ケース６によって本体を構成し、この本体内に、集塵プレフィルター８、集塵フィルター１０、脱臭フィルター１１ａ、モーター１２、及び送風ファン１３が、吸気口２の背面からその下流側方向に順に配置されている。
【０００３】
上記の空気清浄機において、吸気パネル１の吸気口２から矢印Ａ方向に吸い込まれた空気は集塵プレフィルター８に至り、ここで大きなホコリが除去され、次に集塵フィルター１０でさらに小さいホコリが除去される。その後、脱臭フィルター１１ａに至り、ここで臭いの成分が脱臭されて清浄な空気となり、通風口５を通過後、モーター１２によって回転している送風ファン１３によって吹出し口７方向、すなわち矢印Ｂ方向に向かい、吹出し口７から排出される。
【０００４】
【発明が解決しようとする課題】
上記のように構成した空気清浄機によれば、脱臭フィルター１１ａの前面に集塵フィルター１０が位置しているため、臭いの成分の一部が集塵フィルター１０に付着し、ある程度の期間使用すると、集塵フィルター１０に付着した臭いが出てきてしまう等の問題が発生し、集塵能力はまだあるにも関わらず使用に耐えられなくなってしまうという問題があった。
【０００５】
また、脱臭フィルター１１ａは一般的には粒状の活性炭で構成され、１枚の脱臭フィルター１１ａで全ての臭気に対応する必要があるため、活性炭には各種の添加材が添加されており、この添加材は洗浄すると落ちてしまうため洗浄再使用することができず、耐久性に限界があった。
【０００６】
本発明は上記のような課題を解決するためになされたもので、集塵フィルターヘの臭いの付着を軽減して集塵フィルターを本来の寿命にまで使用できるようにすると共に、脱臭フィルターの耐久性を向上させて、フィルター全体を長寿命化させた空気清浄機を提供することを目的とする。
【０００７】
【課題を解決するための手段】
本発明にかかる空気清浄機は、前面に吸気口を有する吸気パネル、内部に風路を有する前ケース、上面に吹出し口を有する後ケースによって本体を構成し、風路上流側から下流側に、集塵プレフィルター、洗浄再生可能な第２の脱臭フィルター、集塵フィルター、第１の脱臭フィルターを配設し、集塵フィルターを第２、第１の脱臭フィルターで挟み込む構成とし、第１の脱臭フィルターの下流側に送風ファンを配設した。
【０００８】
こうして、集塵フィルターへの臭いの付着を軽減すると共に、洗浄再生可能な第２の脱臭フィルターで脱臭できる成分はこの脱臭フィルターで行い、その他の成分を後方の添加材を添加した第１の脱臭フィルターで行うことにより、第１の脱臭フィルターの耐久性を向上させ、フィルター全体を長寿命化するようにする。
【０００９】
また、上記の空気清浄機において、集塵プレフィルターと第２の脱臭フィルターを一体化して洗浄再生可能な一体化フィルターを構成した。
こうして、普段の手入れを容易にし、メンテナンス性を向上させる。
【００１０】
さらに、上記の空気清浄機において、集塵プレフィルターと第１の脱臭フィルターを一体化して洗浄再生可能な一体化フィルターを構成すると共に、この一体化フィルターに抗菌能力を持たせるようにした。
こうして、空気清浄機内のフィルターに付着したホコリによる菌の繁殖を防ぎ、臭いの発生を防止する。
【００１１】
【発明の実施の形態】
［実施の形態１］
図１は本発明の実施の形態１に係る空気清浄機の縦断面図である。１は前面に吸気口２を有する吸気パネル、３は前面に吸気パネル１が配設され、背面に通気口５が設けられて内部に風路４が形成された断面ほぼコ字状の前ケース、６は前ケース３の背後に設けられ上面に吹出し口７を有する後ケースで、これらによって空気清浄機の本体が構成されている。
【００１２】
８は集塵プレフィルター、９は洗浄再生可能な第２の脱臭フィルター、１０は集塵フィルター、１１は添加材を添加した第１の脱臭フィルターであって、これらが前ケース３の風路４内に、吸気パネル１の吸気口２の背面側からその下流方向にこの順序で収納されており、集塵フィルター１０は第２、第１の脱臭フィルター９，１０の間に挟まれている。また、１２はモーター、１３はモーター１２によって回転される送風ファンであって、これらが後ケース６内に収納されている。
【００１３】
上記のように構成した実施の形態１の作用を説明する。吸気パネル１の吸気口２から矢印Ａ方向に吸い込まれた空気は、風路４内の集塵プレフィルター８を通過してここでまず大きなホコリが除去され、次に洗浄再生可能な第２の脱臭フィルター９で脱臭できる成分が脱臭され、さらに集塵フィルター１０を通過してここで小さいホコリが除去される。ついで、添加材を添加した第１の脱臭フィルター１１を通過し、この際に第２の脱臭フィルター９で脱臭できなかった臭いの成分が脱臭され、清浄な空気となって通風口５を通過し、モーター１２によって回転している送風ファン１３によって、吹出し口７方向すなわち、矢印Ｂ方向に向かい、吹出し口７から排出される。
【００１４】
従来の空気清浄機（図４）は、集塵フィルター１０の前に洗浄再生可能な第２の脱臭フィルター９がないため、臭いの成分の一部が集塵フィルター１０に付着し、ある程度の期間使用すると、集塵フィルター１０に付着した臭いが出てきてしまう等の問題が発生し、集塵能力はまだ寿命になっていないにも関わらず使用に耐えられなくなっていたが、本実施の形態１に係る空気清浄機は、従来の空気清浄機と異なり、洗浄再生可能な第２の脱臭フィルター９によって一旦脱臭された空気が集塵フィルター１０に到達するため、集塵フィルター１０に届く臭いの成分が少なくなり、集塵フィルター１０への臭い成分の付着が軽減され、本来の寿命まで使用することができる。
【００１５】
また、従来は１枚の添加材を添加した脱臭フィルター１１ａで全ての臭気に対応しており、この添加材は洗浄すると落ちてしまい、再使用時の性能が大きく低下するため耐久性に限界があったが、本実施の形態１の空気清浄機では、洗浄再生可能な第２の脱臭フィルター９によって脱臭される成分は、この第２の脱臭フィルター９を洗浄再生することによって長期に渡り脱臭可能となり、添加材を添加した第１の脱臭フィルター１１は洗浄再生可能な第２の脱臭フィルター９で脱臭できなかった臭いの成分のみを脱臭すればよいため、処理量が軽減され、脱臭能力の耐久性が向上する。
【００１６】
以上の説明から明らかなように、本実施の形態１に係る空気清浄機は、集塵フィルター１０、及び添加材を添加した第１の脱臭フィルター１１共に、従来の空気清浄機よりも長寿命化することができ、洗浄再生可能な第２の脱臭フィルター９を洗浄再生することにより長期にわたり使用可能なことから、フィルター全体の長寿命化を図ることができる。
【００１７】
［実施の形態２］
図２は本発明の実施の形態２に係る空気清浄機の縦断面図である。１は前面に吸気口２を有する吸気パネル、３は前面に吸気パネル１を配設し内部に風路４を備え背面に通風口５を有する断面ほぼコ字状の前ケース、６は前ケース３の背後に設けられ上面に吹出し口７を有する後ケースで、これらによって空気清浄機の本体が構成されている。
【００１８】
１４は集塵プレフィルター８と洗浄再生可能な第２の脱臭フィルター９を一体化して構成した一体化フィルター、１０は集塵フィルター、１１は添加材を添加した第１の脱臭フィルターであって、これらが前ケース３の風路４内に、吸気パネル１の吸気口２の背面側からその下流方向にこの順序で収納されている。また、１２はモーター、１３はモーター１２によって回転される送風ファンであって、これらが後ろケース６内に収納されている。
【００１９】
なお、一体化フィルター１４は、集塵プレフィルター８と洗浄再生可能な第２の脱臭フィルター９を一体化して構成したが、具体的には、例えば、図３に示すように、ＰＰネット等をインサート成形して制作した集塵プレフィルター８ａと、フィルター固定枠１５とで、第２の脱臭フィルター９を挟んで一体化フィルター１４ａを構成するようにしてもよい。この場合、フィルター固定枠１５には係止爪１６が設けられ、この係止爪１６が集塵プレフィルター８ａに設けた係止部１７に係止して第２の脱臭フィルター９を挟んで一体化する。
【００２０】
本実施の形態２によれば、空気清浄機の本体内の空気の流れ、各フィルター１４（１４ａ），１０，１１の効果は実施の形態１で示した場合と同様である。
なお、集塵プレフィルター８（８ａ）と洗浄再生可能な第２の脱臭フィルター９は定期的に清掃、洗浄等のメンテナンスが必要となるが、この場合、実施の形態１では、集塵プレフィルター８と洗浄再生可能な第２の脱臭フィルター９のメンテナンスを別々に行うようになっていたが、本実施の形態２では、集塵プレフィルター８（８ａ）と第２の脱臭フィルター９の両方を同時にメンテナンスできるようになり、メンテナンス性が向上する。
【００２１】
したがって、本実施の形態２の空気清浄機によれば、集塵プレフィルター８　（８ａ）と洗浄再生可能な第２の脱臭フィルター９を一体化して一体化フィルター１４（１４ａ）とすることにより、フィルター全体の長寿命に加えて、メンテナンス性の向上を図ることができる。
【００２２】
［実施の形態３］
本実施の形態３は、実施の形態２で示した一体化フィルター１４（１４ａ）に抗菌能力を付加したものである。すなわち、図２（図３）で示した集塵プレフィルター８（８ａ）と洗浄再生可能な第２の脱臭フィルター９を一体化して構成した一体化フィルター１４（１４ａ）に、さらに抗菌能力を付加して、一体化抗菌フィルターを構成したものである（図示せず）。
【００２３】
本実施の形態３によれば、空気清浄機の本体内の空気の流れ、各フィルター８（８ａ），９，１０，１１の効果は実施の形態１、２で示した場合と同様である。
したがって、集塵プレフィルター８（８ａ）と洗浄再生可能な第２の脱臭フィルター９を一体化し、さらに抗菌能力を付加した一体化抗菌フィルターとすることによって、フィルター全体の長寿命化を図り、メンテナンス性の向上も図ることができるうえ、空気清浄機内のフィルターに付着したホコリによる菌の繁殖を防ぎ、臭いの発生を防止することができる。
【００２４】
【発明の効果】
以上の説明から明らかなように、本発明に係る空気清浄機によれば、集塵フィルターへの臭いの付着を軽減して集塵フィルターを本来の寿命にまで使用できるようにすると共に、洗浄再生可能な第２の脱臭フィルターで脱臭できる成分はこの脱臭フィルターで行い、その他の成分を下流側の添加材を添加した第１の脱臭フィルターで行うことにより、第１の脱臭フィルターの耐久性を向上させ、フィルター全体を長寿命化することができる。
【図面の簡単な説明】
【図１】本発明の実施の形態１の縦断面図である。
【図２】本発明の実施の形態２の縦断面図である。
【図３】図２の要部の他の例の縦断面図である。
【図４】従来の空気清浄機の一例を示す縦断面図である。
【符号の説明】
１　吸気パネル、２　吸気口、３　前ケース、４　風路、６　後ケース、７　吹出し口、８（８ａ）　集塵プレフィルター、９　洗浄再生可能な第２の脱臭フィルター、１０　集塵フィルター、１１　第１の脱臭フィルター、１３　送風ファン、１４（１４ａ）　一体化フィルター。
【図１】
2004066111.tif 000003
【図２】
2004066111.tif 000004
【図３】
2004066111.tif 000005
【図４】
2004066111.tif 000006